(57)【要約】【課題】薄型化及び軽量化を図りつつ、導光板１２における断面楔状部分１２Ａの傾斜面１２Ｂから出射する光が充分に反射されずに輝度が低下するのを防ぐとともに、画像表示領域４１の縁部から光が漏れ出て輝部（「ホットスポット」）が発生したり輝度分布が不均一になるのを防止することのできるものを提供する。【解決手段】導光板１２の出射面における、前記傾斜面１２Ｂの全体、及びこの傾斜面１２Ｂに隣接した領域を直接被覆する反射シート１１と、この反射シート１１を固定すべくフレーム部材１９における前記傾斜面１２Ｂに向き合う領域１９Ｂ中に配置される反射シート固定用粘着シート１１Ａとを備え、最もベース側に配置される光学シート１６には、入射端面側への延在部１６Ａが備えられ、前記反射シート１１における画像表示領域４１側の縁部は、前記延在部１６Ａにより直接被覆される。【選択図】図２
2015141795.tif 000002
【特許請求の範囲】
【請求項１】
導光板と、その端面に配置される光源と、光源を覆うフレーム部材と、導光板の出射面に配置される光学シートとを含み、導光板における入射端面の近傍に断面楔状部分を備え、この断面楔状部分における出射面側に傾斜面を備えた液晶表示装置において、
導光板の出射面における、前記傾斜面の全体、及びこの傾斜面に隣接した領域を直接被覆する反射シートと、この反射シートを固定すべくフレーム部材における前記傾斜面に向き合う領域中に配置される反射シート固定用粘着シートとを備え、
最もベース側に配置される前記光学シートには、入射端面側への延在部が備えられ、前記反射シートにおける画像表示領域側の縁部は、前記延在部により直接被覆されることを特徴とする液晶表示装置。
【請求項２】
前記フレーム部材における前記傾斜面に向き合う領域には、前記の反射シート固定用粘着シートを受け入れるための凹陥部が形成されるとともに、前記フレーム部材における画像表示領域側の縁部は、前記反射シートを直接被覆することを特徴とする請求項１に記載の液晶表示装置。
【請求項３】
導光板と、その端面に配置される光源と、光源を覆うフレーム部材と、導光板の出射面に配置される光学シートとを含み、導光板における入射端面の近傍に断面楔状部分を備え、この断面楔状部分における出射面側に傾斜面を備えた面光源装置において、
導光板の出射面における、前記傾斜面の全体、及びこの傾斜面に隣接した領域を直接被覆する反射シートと、この反射シートを固定すべくフレーム部材における前記傾斜面に向き合う領域中に配置される反射シート固定用粘着シートとを備え、
最もベース側に配置される前記光学シートには、入射端面側への延在部が備えられ、前記反射シートにおける画像表示領域側の縁部は、前記延在部により直接被覆されることを特徴とする面光源装置。
【発明の詳細な説明】
【技術分野】
【０００１】
本発明は、エッジライト型の面光源装置、及びこれを備えた液晶表示装置に関する。特には、薄型化及び軽量化を図るべく、面光源装置の導光板における、光源光の入射端面の近傍には、導光板の厚みを入射端面から内側へと向かって減少させる断面楔（くさび）状部分、及び、その出射面側の傾斜面を備えるものに関する。
【背景技術】
【０００２】
パソコンやコンピューター端末用のディスプレイ、スマートフォンなどの携帯電話や各種情報端末などで、エッジライト型の面光源装置を備えた液晶表示装置が広く用いられている。エッジライト型の面光源装置は、導光板と、その端面に沿って配置される、蛍光灯やLEDランプからなる光源とからなり、ここで、導光板は、導光板の端面から入射した光源光を、導光板に重ねられて配置された液晶表示パネルへと導くものである。
【０００３】
近年、導光板の薄型化及び軽量化を行いつつ、入射端面の面積を大きくとるように、入射端面の近傍では、入射端面から内側へと向かって厚みが小さくなっていく断面楔状の部分を設けることが行われている（例えば特許文献１〜２）。この断面楔状の部分は、通常、出射面にのみ傾斜面をなし、出射面とは逆の面（裏面）は、導光板の他の部分の裏面と連続した平面をなす。
【０００４】
特許文献１においては、光源（「ＬＥＤチップ」）を覆うフレーム部材と、導光板の端部とを覆うように遮光粘着テープを貼り付けることにより、導光板の固定と遮光とを行うにあたり、導光板の出射面に配置された複数の光学シートのうち、最もベース側のもののみを、断面楔状部分の傾斜面にまで延在させることが提案されている（図３(ｂ)）。このようにして、傾斜面から出射した光が導光板内になるべく戻ってくるようすることで、輝度低下を防止できるとしている。
【０００５】
一方、特許文献２においては、液晶表示装置の厚みを小さくすべく、液晶表示パネルの裏面側の基板（アレイ基板）について、棚状に突き出す接続領域での厚みを、他の領域よりも大きく、この棚状接続領域のアレイ基板と、光源（「発光ダイオード」）との間に、遮光テープ（６０）だけが配置されるようにすることが提案されている（図１）。そして、断面楔状の部分の傾斜面は、拡散シート及びプリズムシートを介して、遮光テープにより覆われている。
【先行技術文献】
【特許文献】
【０００６】
【特許文献１】特開２００９−０８０９４７
【特許文献２】特開２０１０−１１３１４９
【発明の概要】
【発明が解決しようとする課題】
【０００７】
上記の特許文献１〜２のように、導光板おける入射端面近傍に位置した断面楔状の部分の傾斜面が、拡散シートやプリズムシートで覆われる構造であると、傾斜面から出射した光の一部が、光学シート中へと入射し、反射されて導光板中へと戻ることなしに、遮光部材などにより吸収されてしまうおそれがある。また、光学シート中へと入射した光のうちには、光源の近傍で、局部的に漏れ出て、輝部（「ホットスポット」）を形成するおそれがある。
【０００８】
本発明は、上記問題に鑑みなされたものであり、導光板における入射端面の近傍に断面楔状部分を備え、この断面楔状部分における出射面側に傾斜面を備えた液晶表示装置及び面光源装置において、薄型化及び軽量化を図りつつ、断面楔状部分の傾斜面から出射する光が充分に反射されずに輝度が低下するのを防ぐとともに、画像表示領域の縁部から光が漏れ出て輝部（「ホットスポット」）が発生したり輝度分布が不均一になるのを防止することができるものを提供しようとするものである。
【課題を解決するための手段】
【０００９】
本発明の好ましい実施形態をなす液晶表示装置及び面光源装置は、導光板と、その端面に配置される光源と、光源を覆うフレーム部材と、導光板の出射面に配置される光学シートとを含み、導光板における入射端面の近傍に断面楔状部分を備え、この断面楔状部分における出射面側に傾斜面を備えたものにおいて、さらに、導光板の出射面における、前記傾斜面の全体、及びこの傾斜面に隣接した領域を直接被覆する反射シートと、この反射シートを固定すべくフレーム部材における前記傾斜面に向き合う領域中に配置される反射シート固定用粘着シートとを備え、最もベース側に配置される前記光学シートには、入射端面側への延在部が備えられ、前記反射シートにおける画像表示領域側の縁部は、前記延在部を直接被覆することを特徴とする。
【発明の効果】
【００１０】
薄型化及び軽量化を図りつつ、輝度低下を防ぐとともに、画像表示領域の縁部から光が漏れ出て輝部（「ホットスポット」）が発生したり輝度分布が不均一になるのを防止することができる。
【図面の簡単な説明】
【００１１】
【図１】本発明の一実施形態になる液晶表示装置の模式的な積層断面図である。
【図２】図１の要部を拡大した模式的な積層断面図である。
【図３】比較例の液晶表示装置についての、図１と同様の模式的な積層断面図である。
【発明を実施するための形態】
【００１２】
本発明の一実施形態になる液晶表示装置について、図１〜２の模式的な積層断面図を用いて説明する。
【００１３】
図１に示すように、面光源装置１の出射側の面に、液晶表示パネル２が重ねあわされている。特には、面光源装置１の矩形枠状のフレーム部材１９と、液晶表示パネル２の周縁部とが、パネル−フレーム間粘着シート３を介して貼り合わされることで、固定されている。
【００１４】
面光源装置１には、矩形板状の導光板１２と、その少なくとも一方の端面（入射端面）に沿って複数が配列されるＬＥＤランプ１３と、導光板１２の出射面に重ねさ合わせて配置される一連の光学シート１５と、導光板１２の裏面のほぼ全体を覆う裏面反射シート１４と、上記のフレーム部材１９と、ＬＥＤランプ用ＦＰＣ１３Ｂとが含まれる。また、導光板１２における入射端面の近傍には、出射面の側に傾斜面１２Ｂをなす、断面が片くさび形である断面楔状部分１２Ａが形成されている。この断面楔状部分１２Ａにより、ＬＥＤランプ１３から出射される光が、入射端面よりも厚み方向寸法の小さい、導光板１２の内側部分へと導かれる。この内側の部分の大部分は、液晶表示パネル２における画像表示領域４に対応する。上記の、一連の光学シート１５は、導光板１２の内側部分に配置される。なお、図示の例では、導光板１２の厚み寸法について、断面楔状部分１２Ａ以外にてほぼ等しいものとして描いているが、入射端面とは逆側の端面へと向かって徐々に厚み寸法が減少するのであってもよい。
【００１５】
図１〜２に示すように、フレーム部材１９は、ＬＥＤランプ１３を、外周側、及び液晶表示パネルの側から覆うとともに、液晶表示パネルの側から覆う部分が、画像表示領域４の側へと延在されて、導光板１２の傾斜面１２Ｂ及びこれに隣接した領域を覆う。例えば、平面図における傾斜面１２Ｂの幅の30〜60％の幅の隣接領域を覆うまでに、内側へと延びている。そして、フレーム部材１９における導光板１２の傾斜面１２Ｂ及びその近傍と向き合う面領域（傾斜面近傍被覆領域）１９Ｂ中、フレーム部材１９の内縁部１９Ｃ、及び、入射端面とほぼ重なる領域を除き、均一な深さ寸法の、浅い凹陥部１９Ａが設けられている。そして、この凹陥部１９Ａ中には、傾斜面１２Ｂの内側端部及びこれに隣接する非傾斜部と向き合う領域を除き、反射シート用粘着シート１１Ａが配置されている。そして、この反射シート用粘着シート１１Ａを介して、フレーム部材１９に反射シート１１が貼り付けられて固定されている。図示のように、凹陥部１９Ａの深さ寸法は、反射シート用粘着シート１１Ａの厚み寸法と、反射シート１１の厚み寸法とを合わせた寸法にほぼ等しいものとなっている。
【００１６】
図１〜２中に示すように、反射シート１１は、粘着シート１１Ａにより固定されている箇所から、画像表示領域４の側へと向かって延び、フレーム内側端部１９Ｃからさらに内側へと突き出ている。図１〜２から知られるように、反射シート１１が傾斜面１２Ｂから非傾斜部へと移行する箇所にまで、シート収納用凹陥部１９が延びていることから、反射シート１１は、この移行箇所で緩やかにカーブしつつ延びることができる。そして、反射シート１１は、シート収納用凹陥部１９より内側へと延びた箇所では、フレーム内側端部１９Ｃと、導光板１２の非傾斜部との間に挟みこまれる。このようにして、反射シート１１がめくり上がるのが防止されている。
【００１７】
さらには、図１〜２中に示すように、反射シート１１の内縁部１１Ｂが、導光板１２の出射面と、最もベース側の光学シート、すなわち、ベース側のプリズムシート１６から外側へと延在した延在部１６Ａにより、直接に挟み込まれている。このように挟み込まれていることで、画像表示領域４の縁４１の近傍へと光源光が漏れ出るのが、さらに防止されている。反射シート１１がフレーム内側端部１９Ｃよりもさらに画像表示領域４の側へと延びる寸法は、例えば、平面図における傾斜面１２Ｂの幅の10〜30％であり、プリズムシートの延在部１６Ａと重なり合う領域の幅は、例えば、このような傾斜面１２Ｂの幅の5〜20％である。
【００１８】
なお、図示の例において、面光源装置１と液晶表示パネル２とを互いに貼り合わせて固定するパネル−フレーム粘着シート３は、光学シート１５の周縁部と、液晶表示パネル２との間でも接着を行っている。この粘着シート３にも、ある程度の遮光性を付与することで、光漏れをさらに防止することができる。また、断面楔状部分１２Ａの裏面は、粘着シート１３Ａを介してＬＥＤ用ＦＰＣ１３Ｂにより覆われており、これらいずれかの部材に光反射性を付与することにより、光の利用効率を高く保つことができる。
【００１９】
なお、反射シート１１その他の光反射用のシート部材は、例えば、炭酸マグネシウム粉末などの高反射性材料を含む樹脂シートにより設けることができる。また、アルミニウム蒸着を施した樹脂シートにより設けることもできる。
【００２０】
図示の例において、液晶表示パネル２は、ＬＥＤランプ１３の配置箇所において、フレーム部材１９を覆う領域が、棚状接続領域２３である。この棚状接続領域２３は、アレイ基板２１が、対向基板２１の縁から外側へと突き出した領域であり、駆動ＩＣチップ２６や駆動用ＦＰＣ２７が実装される。
【００２１】
以上に説明した実施形態であると、図２中の矢印により模式的に示すように、点光源であるＬＥＤランプ１３からの光源光について、画像表示領域４に至るまでの損失を最小限とするとともに、画像表示領域４の縁４１の近傍での高輝度部分（ホットスポット）の形成を確実に防止することができる。しかも、部材のコストを増加させることなく、薄型化及び軽量化を同様に実現することができる。
【００２２】
図３には、上記の反射シート１などを備えない比較例の液晶表示装置１０'について模式的に示す。図３中の矢印により模式的に示すように、樹脂成形により得られるフレーム部材１９として高反射性の材料を用いたとしても、一部がフレーム部材に吸収される。また、フレーム部材１９の内縁より内側にて、わずかに、画像表示領域の縁４１の近傍へと光漏れが生じるおそれがある。
【符号の説明】
【００２３】
１…面光源装置；  １１…反射シート；  １１Ａ…反射シート固定用粘着シート；  
１１Ｂ…反射シートにおける内縁部；  １２…導光板；  １２Ａ…断面楔状の部分；  
１２Ｂ…傾斜面；  １３…ＬＥＤランプ；  １３Ａ…ＬＥＤ−ＦＰＣ粘着シート；  
１３Ｂ…ＬＥＤランプ用ＦＰＣ；  １４…裏面反射シート；  １５…光学シート；  
１６…ベース側プリズムシート；  １７…拡散シート；  
１８…表層側プリズムシート；  １９…フレーム部材；  
１９Ａ…シート収納用凹陥部；  １９Ｂ…傾斜面近傍被覆領域；  
１９Ｃ…フレーム内側端部；  ２…液晶表示パネル；  ２１…アレイ基板；  
２２…対向基板；  ２３…対向基板の棚状接続部；  ２４,２５…偏光板；  
２６…駆動ＩＣチップ；  ２７…駆動用ＦＰＣ；  ３…パネル−フレーム粘着シート
【図１】
2015141795.tif 000003
【図２】
2015141795.tif 000004
【図３】
2015141795.tif 000005